(57)【特許請求の範囲】
【請求項１】
建具枠に障子を開閉自在に取り付け、その建具枠の縦枠に取り付けた気密部材に障子の縦框を接触して気密する建具であって、
前記障子の縦框は、障子開閉時に面外方向、面内方向に移動せずに面外方向に回動し、前記縦框の気密部材が接触する外表面は円弧形状とし、
前記気密部材は、縦枠の被取付部に取り付ける取付部と、縦框と接触する気密部を備え、
その気密部は、取付部と連続し、円弧形状に湾曲した基部ヒレと、この基部ヒレの先端部と連続し円弧形状に湾曲した先部ヒレを有し、
前記基部ヒレは、取付部に向かう裏面が凹面で、表面が凸面となるように円弧形状に湾曲し、前記先部ヒレは、基部ヒレの裏面と連続した裏面が凸面で、基部ヒレの表面と連続した表面が凹面となるように円弧形状に湾曲し、気密部は取付部に対して片持ち状に支持されたヒレ形状とし、
前記気密部材は、外力が負荷しない自由状態では、前記基部ヒレと先部ヒレが前記取付部に対してほぼ直角で、かつ縦框に向かい、先部ヒレの先端部が取付部から最も離れた自由状態姿勢で、
前記気密部材は、前記取付部を前記縦框の被取付部に取り付け、前記障子が閉じ状態のときに、前記基部ヒレの表面の一部分と前記先部ヒレの先端部の両方が前記縦框の外表面に接触し、前記基部ヒレが取付部とほぼ平行で、前記先部ヒレの先端部は基部ヒレよりも前記縦框寄りに位置するように弾性変形することを特徴とする建具。
【請求項２】
前記先部ヒレの曲率は前記基部ヒレの曲率よりも大きい請求項１記載の建具。
【発明の詳細な説明】
【技術分野】
【０００１】
本発明は、建具枠に障子を開閉自在に取り付けた建具に関する。
【背景技術】
【０００２】
従来、建具枠に障子を開閉自在に取り付けた建具においては、建具枠の上枠、下枠、縦枠に気密部材を取り付け、閉じ状態の障子の上框、下框、縦框が気密部材に接触することで、建具枠と障子との間を気密するのが一般的である。
前述した建具に用いる気密部材としては、特許文献１に開示されたように、取付部と支持部と目詰め部を備え、障子閉じ状態で支持部と目詰め部が建具枠にそれぞれ接触して気密し、障子が風圧などで移動すると支持部が建具枠と離れるが、目詰め部は建具枠に接触し続け、その目詰め部の弾性余力で気密できるようにしたものが知られている。
【先行技術文献】
【特許文献】
【０００３】
【特許文献１】実開昭５５−１０９７９５号公報
【発明の概要】
【発明が解決しようとする課題】
【０００４】
前述した従来の建具においては、閉じ状態の障子の上框、下框、縦框は、当該障子を境とした一側室と他側室（例えば、浴室建具の場合には浴室と脱衣室）の温度差が大きくなると、熱膨張による反り、つまり熱反りが生じる。特に縦框が大きく熱反りして高さ方向に沿って弓形状に変形する。
このために、縦枠に取り付けた気密部材の高さ方向の中間部分が縦框から離れ、あるいは接触力が弱まり、気密できなくなることがある。
【０００５】
前述した従来の気密部材は、支持部及び目詰り部が弾性変形し、気密部材の弾性変形量が大きいので、この気密部材を用いることで、前述の熱反りが生じても気密できるようにすることが考えられる。
しかしながら、前述した従来の気密部材は、その支持部が空洞部を有したホロー形状で、しかも支持部が主気密部で障子閉じ状態では支持部で主として気密することになる。ヒレ形状の目詰り部は補助的な気密部で、補助的に気密することになる。
【０００６】
このために、障子の縦框が熱反りして高さ方向に沿って弓形状に変形する建具の縦枠に、前述した従来の気密部材を用いた場合に、障子閉じ状態においては支持部が縦框に押されて長手方向全長に亘って均一に圧縮弾性変形するので、縦枠と縦框との間を気密することができるが、この支持部が長手方向全長に亘って圧縮弾性変形している状態（水密状態）で、縦框が熱反りによる高さ方向に沿って弓形状に変形したときに、弾性圧縮変形している支持部の高さ方向両端部分の弾性復元量が中間部分よりも少ないために高さ方向中間部分の弾性復元が制限され、縦框の変形に追従して弾性復元することができず、支持部の高さ方向中間部分の弾性復元量が縦框の変形量よりも少なく、縦枠と縦框との間を気密できない。
【０００７】
本発明の目的は、障子の縦框が熱反りで高さ方向に沿って弓形状に変形したときでも縦枠と縦框との間を気密できるようにした建具とすることである。
【課題を解決するための手段】
【０００８】
本発明の建具は、建具枠に障子を開閉自在に取り付け、その建具枠の縦枠に取り付けた気密部材に障子の縦框を接触して気密する建具であって、
前記障子の縦框は、障子開閉時に面外方向、面内方向に移動せずに面外方向に回動し、前記縦框の気密部材が接触する外表面は円弧形状とし、
前記気密部材は、縦枠の被取付部に取り付ける取付部と、縦框と接触する気密部を備え、
その気密部は、取付部と連続し、円弧形状に湾曲した基部ヒレと、この基部ヒレの先端部と連続し円弧形状に湾曲した先部ヒレを有し、
前記基部ヒレは、取付部に向かう裏面が凹面で、表面が凸面となるように円弧形状に湾曲し、前記先部ヒレは、基部ヒレの裏面と連続した裏面が凸面で、基部ヒレの表面と連続した表面が凹面となるように円弧形状に湾曲し、気密部は取付部に対して片持ち状に支持されたヒレ形状とし、
前記気密部材は、外力が負荷しない自由状態では、前記基部ヒレと先部ヒレが前記取付部に対してほぼ直角で、かつ縦框に向かい、先部ヒレの先端部が取付部から最も離れた自由状態姿勢で、
前記気密部材は、前記取付部を前記縦框の被取付部に取り付け、前記障子が閉じ状態のときに、前記基部ヒレの表面の一部分と前記先部ヒレの先端部の両方が前記縦框の外表面に接触し、前記基部ヒレが取付部とほぼ平行で、前記先部ヒレの先端部は基部ヒレよりも前記縦框寄りに位置するように弾性変形することを特徴とする建具である。
【０００９】
本発明の建具においては、前記先部ヒレの曲率は前記基部ヒレの曲率よりも大きくすることができる。
このようにすれば、基部ヒレが縦框の変形に追従して弾性復元し易いと共に、自由状態のときの先部ヒレの形状安定化を図ることができる。
【発明の効果】
【００１３】
本発明によれば、障子閉じ状態において縦框が熱反りで、高さ方向に沿って弓形状に変形したときに、基部ヒレ、先部ヒレの高さ方向中間部が縦框の変形に追従して弾性復元し、縦枠と縦框との間を気密することができる。
しかも基部ヒレと先部ヒレの２点で縦框と接触するので、気密性が向上する。
【図面の簡単な説明】
【００１４】
【図１】建具の正面図である。
【図２】図１のＡ−Ａ断面図である。
【図３】図１のＢ−Ｂ断面図である。
【図４】図３のＣ部拡大図である。
【図５】気密部材の拡大図である。
【図６】気密部材の取り付けの第２の実施形態を示す断面図である。
【図７】気密部材の取り付けの第３の実施形態を示す断面図である。
【図８】気密部材の第２の実施形態を示す断面図である。
【図９】気密部材の第３の実施形態を示す断面図である。
【発明を実施するための形態】
【００１５】
図１に示すように、建具枠１に障子２を開閉自在に取り付けて建具としてある。
建具枠１は、上枠１０と下枠１１と左右の縦枠１２で方形である。
障子２は、２つのドア２０，２１を備え、一方のドア２０の一方の縦框２２を上枠１０、下枠１１に対して面外方向に回動自在に支持し、この一方のドア２０の他方の縦框２３と他方のドア２１の一方の縦框２４を面外方向に折曲自在に連結し、他方のドア２１の他方の縦框２５を上枠１０、下枠１１の長手方向に沿って移動自在に支承してあり、図１に示す建具は浴室用の折れ戸である。
本発明の建具は折れ戸に限ることはなく、開き戸や引き戸などでも良い。
【００１６】
図２に示すように、上枠１０には上横の気密部材３が取り付けてあると共に、下枠１１には下横の気密部材４が取り付けてある。
２つのドア２０，２１を閉じた状態で上框２６、下框２７が、上横の気密部材３、下横の気密部材４に接触して気密する。
図３に示すように、左右の縦枠１２には、本発明の気密部材である縦の気密部材５がそれぞれ取り付けてある。
２つのドア２０，２１を閉じた状態で一方の障子２０の一方の縦框２２が気密部材５に接触して気密し、他方の障子２１の他方の縦框２５が気密部材５に接触して気密する。
【００１７】
縦の気密部材５は、図４に示すように取付部５０と気密部６０を備え、その取付部５０を縦枠１２の被取付部、例えば、あり溝形状の溝１３に長手方向から挿入して取り付けることで、図４に仮想線で示すように気密部６０が縦框２２に向かい、障子閉じ状態で縦框２２の外表面２２ａが気密部６０に接触して、図４に実線で示すように弾性変形し、その気密部６０で縦枠１２と縦框２２との間を気密している。
【００１８】
図４に示す縦框２２はドア２０，２１を開閉するときに上枠１０、下枠１１に対して面外方向に回動するのみで、面外方向及び面内方向に動くことはない。
このために、縦框２２の外表面２２ａにおける気密部材５の気密部６０が接触する部分を円弧形状とすることで、その縦框２２がスムーズに回動できるようにしてある。
【００１９】
図５に示すように、気密部６０は取付部５０と連続した基部ヒレ６１と、この基部ヒレ６１の先端部と連続した先部ヒレ６２を有している。
その基部ヒレ６１はほぼ円弧形状に湾曲し、その湾曲の中心は取付部５０側で、当該基部ヒレ６１の取付部５０に向かう裏面６１ａが凹面で、縦框２２に向かう表面６１ｂが凸面となるように円弧形状に湾曲している。
先部ヒレ６２はほぼ円弧形状に湾曲し、その湾曲の中心は取付部５０側とは反対側（縦框２２側）で基部ヒレ６１の裏面６１ａと連続した裏面６２ａが凸面で、表面６１ｂと連続した表面６２ｂが凹面となるように円弧形状に湾曲している。
つまり、気密部６０は、取付部５０に向かう裏面と、その裏面と反対の表面がそれぞれほぼＳ字形状に湾曲し、気密部６０は、取付部５０に対して片持ち状に支持され、ほぼＳ字形状に湾曲したヒレ形状である。
【００２０】
気密部材５（気密部６０）に外力が負荷しない状態、つまり自由状態のときには、図４に仮想線、図５に実線で示すように、基部ヒレ６１と先部ヒレ６２は取付部５０に対してほぼ直角で、縦框２２に向かい、その先部ヒレ６２の先端部が最も取付部５０から遠く離れた自由状態姿勢となる。
前述した自由状態姿勢から基部ヒレ６１に外力が負荷すると、基部ヒレ６１は取付部５０に対して図５に仮想線で示すように取付部５０に向けて弾性変形し、取付部５０とほぼ平行な姿勢のとき、先部ヒレ６２の先端部は基部ヒレ６１よりも縦框２２寄り（取付部５０よりも遠く離れた位置）に位置する。
【００２１】
前述したように、気密部材５を縦枠１２に取り付けた状態でドア２１を閉じると縦框が気密部６０を弾性付勢する。図４に示す縦框２２は面外方向、面内方向に動かないので、ドア２１を取り付けることで、縦框２２の外表面２２ａが気密部６０に接触して基部ヒレ６１が取付部５０に対して取付部５０に接近する方向に弾性変形し、先部ヒレ６２が基部ヒレ６１に対して取付部５０に接近する方向に弾性変形し、基部ヒレ６１の表面６１ｂの一部分と先部ヒレ６２の先端部が縦框２２の外表面２２ａに圧接して縦枠１２と縦框２２との間を気密する。
【００２２】
図４に実線で示す状態から、縦框２２が気密部材５から離れる方向に動くと、気密部６０の基部ヒレ６１、先部ヒレ６２が仮想線で示す自由状態姿勢に向けて弾性復元しようとするので、仮に縦框２２が距離Ｓだけ移動したとしても先部ヒレ６２が縦框２２に当接し、気密部６０で縦枠１２と縦框２２との間を気密することができる。
【００２３】
しかも、気密部６０は基部ヒレ６１が取付部５０から片持ち状に設けられて、基部ヒレ６１と先部ヒレ６２でヒレ形状で、その基部ヒレ６１、先部ヒレ６２は表裏面方向（図４の場合は面外方向、図６の場合は面内方向）に弾性変形し易いから、図４に実線で示すように基部ヒレ６１と先部ヒレ６２が弾性変形した状態で、縦框２２が熱反りで高さ方向に沿って弓形状に変形したときに、その基部ヒレ６１、先部ヒレ６２の高さ方向中間部は、縦框２２の変形に追従して弾性復元し、縦框２２の高さ方向中間部と気密部６０が離れたりすることがなく、縦枠１２と縦框２２との間を気密することができる。
【００２４】
前記先端ヒレ６２の先端部分６２ｃは図５に示すように、基部ヒレ６１の表面６１ｂに向かう方向に湾曲し、カール形状としてある。
また、先部ヒレ６２の曲率は基部ヒレ６１の曲率よりも大きくなっている。つまり、先部ヒレ６２の方が基部ヒレ６１よりも曲がり具合がきつくなっている。
これにより、縦框２２が高さ方向に沿って弓形状に変形したときに、基部ヒレ６１が縦框２２の変形に追従して弾性復元し易くなるので、縦枠１２と縦框２２との間の気密性を向上することができる。
さらに、先部ヒレ６２の曲率は大きく、その先部ヒレ６２の先端部分６２ｃが曲率の大きいカール形状であるから、剛性が向上して先部ヒレ６２の変形を抑制し、気密部材５（先部ヒレ６２）の形状安定化を図ることができる。
【００２５】
先部ヒレ６２の先端部分６２ｃをカール形状とすることで、先部ヒレ６２の全体を、基部ヒレ６１の湾曲状態よりも円形状に近いほぼ半円形状とすることができる。
このようにすれば、長尺な気密部材５を巻掛けて運搬、保管した後に、その気密部材５を繰り出して直線状としたときによれずに正しい形状とすることができる。
【００２６】
前述した気密部材５の基部ヒレ６１、先部ヒレ６２における縦框２２の外表面２２ａに接触する部分、例えば基部ヒレ６１の表面６１ｂ、先部ヒレ６２の先端部６２ｃの表面を摺動処理、例えば低摩擦材のコーティングをしても良い。
このようにすれば、障子（縦框２２）との擦れによる摩擦抵抗が低減し、操作性が向上する。つまり、前述の縦框２２は障子開閉時に回動するので、その縦框２２の外表面２２ａが基部ヒレ６１、先部ヒレ６２に擦れるから、前述のように摺動処理することで、摩擦抵抗が低減し、ドアを開閉する力が大きくならないようにできる。
【００２７】
取付部５０は、溝１３内に嵌まり込む基部５１と、この基部５１と連続した表面部５２を有し、その表面部５２が溝１３の開口端縁に接して気密するようにしてある。
この表面部５２に基片６３が一体に設けてあり、この基片６３の先端部に基部ヒレ６１が一体に設けてある。具体的に、基部ヒレ６１は、基片６３を介して取付部５０に片持ち状に設けられている。なお、基部ヒレ６１は、取付部５０の表面部５２から片持ち状に設けてもよい。つまり、気密部材５は、取付部５０に対して直接片持ち状に支持されたヒレ形状としてもよく、また、他の部位(基片６３など)を介するなどして取付部５０に対して間接的に片持ち状に支持されたヒレ形状としてもよい。
気密部材５は、その取付部５０を縦枠１２の溝１３に長手方向から挿入して取り付けるので、基部５１の周囲、表面部５２の裏面を摺動処理、例えば低摩擦材をコーティングし、取付部５０を溝１３に長手方向から挿入するときの摩擦抵抗を低減している。
【００２８】
気密部材５は図４に示すように縦枠１２に、面外方向に向けて取り付けしたが、これに限ることはない。
例えば、図６に示すように縦枠１２に、面内方向に向けて取り付けても良いし、図７に示すように縦枠１２に、面外方向及び面内方向に向けて２つの気密部材５を取り付けても良い。
【００２９】
図８に示すように、取付部５０（表面部５２）と基部ヒレ６１の基部とに亘ってＬ字形状のカバー片６４を一体に設け、このカバー片６４と基片６３と基部ヒレ６１の基部と取付部５０（表面部５２）とで空洞部６５を有するものとしても良い。
この気密部材５の場合には、気密部６０が気密姿勢のときに、カバー片６４が弾性変形する。
【００３０】
図９に示すように、基部ヒレ６１の基部を取付部５０の表面部５２に一体に設け、この基部ヒレ６１の基部寄りと取付部５０の表面部５２に亘ってカバー片６４を一体に設けて空洞部６５を有するものとしても良い。
このようにすれば、基部ヒレ６１と先部ヒレ６２のみではなく、カバー片６４も縦框２２と接触することができる。
【符号の説明】
【００３１】
１…建具枠、２…障子、５…気密部材、１２…縦枠、２２…縦框、５０…取付部、６０…気密部、６１…基部ヒレ、６１ａ…裏面、６１ｂ…表面、６２…先部ヒレ、６２ａ…裏面、６２ｂ…表面、６２ｃ…先端部分。
【図１】
0005637540.tif 000002
【図２】
0005637540.tif 000003
【図３】
0005637540.tif 000004
【図４】
0005637540.tif 000005
【図５】
0005637540.tif 000006
【図６】
0005637540.tif 000007
【図７】
0005637540.tif 000008
【図８】
0005637540.tif 000009
【図９】
0005637540.tif 000010